【手続補正書】
【提出日】平成20年2月4日(2008.2.4)
【手続補正１】
【補正対象書類名】明細書
【補正対象項目名】特許請求の範囲
【補正方法】変更
【補正の内容】
【特許請求の範囲】
【請求項１】
光学式データ記憶媒体からデータを読み取るための方法であって、二次元マトリックス構造を持つデータ源の画像が光学媒体にホログラムで記録されており、データが少なくとも二つの状態を持つデータマークでコード化されており、
データマークは、
ａ．同じ状態のデータが所定回数以上直ちに連続することを禁止するコーディングにより、記録されるべきデータをコード化する工程、
ｂ．所定の大きさ及び位置の、同定データマークを含む同定アレイ及び使用者データマークを含むデータアレイを、データ源のマトリックス内に画成する工程、
ｃ．コード化によって、大きさ及び状態が同定アレイの同定データマークと同じデータマークを含むデータ組が、データアレイ内に発生されないように同定アレイの大きさを決定する工程、及び
ｄ．同じ状態を持つ同定データマークで同定アレイを満たす工程
を含む方法で、データ源によって発生され、
読み取り中に、読み取り中のデータ源の画像を光学的方法で再生し、
再生した画像を、検出器ピクセルを持つ二次元検出器で検出し、
検出された画像の同定マークを用いて、再生した画像からデータを読み取り、同定アレイを探索し、それらの位置を決定し、
データマークを含むアレイの位置を同定アレイの位置に対して決定する、方法において、
データアレイのデータマークと関連した検出器ピクセルの位置を同定アレイの位置から算出する工程、及び
検出器ピクセルを算出されたピクセル位置に置いた状態で、記憶されたデータをデータマークから検索する工程
を更に含む、ことを特徴とする方法。
【請求項２】
請求項１に記載の方法において、
データマークは、単一のデータ源マトリックスエレメントの画像として媒体に記録され、データマークは、グレースケールでコード化した少なくとも２データビットを含む、方法。
【請求項３】
請求項１又は２に記載の方法において、
検出器の一つの寸法に沿ったピクセルの数は、データ源のマトリックスエレメントの数の倍数であるように選択され、
データ源のマトリックスエレメントと関連した検出器ピクセルのアレイを同定し、かくして同定されたアレイの中央領域の一つ又はそれ以上の検出器ピクセルによって検出された値を読み取り値とみなす、方法。
【請求項４】
請求項３に記載の方法において、
検出器の一つの寸法に沿ったピクセルの数は、データ源のマトリックスエレメントの数の２倍乃至５倍であるように選択される、方法。
【請求項５】
請求項１乃至４のうちのいずれか一項に記載の方法において、
同定アレイを相関決定方法で探索する、方法。
【請求項６】
請求項１乃至５のうちのいずれか一項に記載の方法において、
データを含むホログラムがフレームで取り囲まれており、上記方法は更に、
フレームを探索する第１工程、及び
フレームの所定のポイントに対するホログラムの正確な位置を同定する同定アレイを検索する工程
を含む、方法。
【請求項７】
請求項６に記載の方法において、
データ源の画像ポイントを記憶媒体に焦合することによって探索ビームを発生する、方法。
【請求項８】
請求項７に記載の方法において、
読み取りは、データ源の周期性及びデータ源の開口の回折により、フーリエピークを少なくとも部分的に中性にするためのランダム位相マスクであって、位相変調が行われない領域が中央に位置決めされた位相マスクと、偏光性及び／又はスプリッティング性がない中央領域を含む偏光層を有する偏光ビームスプリッターとを含む光学システムで行われ、
位相マスクの中央領域及び偏光層の中央領域を通して探索ビームを差し向ける工程を更に含む、方法。
【請求項９】
請求項８に記載の方法において、
位置決めフレームは、探索ビームの光学システムのフーリエ平面内に配置されており、
反射された探索ビームの全強度を監視し、監視した強度の鋭い変化を検出することによって、位置決めフレームが横切ったことを検出する、方法。
【請求項１０】
請求項１乃至９のうちのいずれか一項に記載の方法において、
二つの隣接した同定アレイ間の画像の歪みが、画像ポイントと関連した検出器ピクセルの位置を決定する補間のエラー以下であるように、同定アレイを互いに近付けて配置する、方法。
【請求項１１】
データをホログラフィで記録し、読み取るための方法であって、
データ源の画像と関連したフーリエ平面内での物体ビームと参照ビームとの間の干渉により得られるホログラムで二次元データ源の画像を光学媒体に記録する工程、
画像セットアップでホログラムのフーリエ平面とは別のフーリエ平面を形成する工程、及び
開口が設けられた前記別のフーリエ平面で空間的フィルタリングを行い、読取中に記録されたホログラムを二次元検出器で検出する工程を含む方法において、
データ源とホログラムとの間の物体ビームに前記別のフーリエ平面を形成する工程、及び
ホログラムの大きさを調節することにより、データ密度を、前記別のフーリエ平面に位置決めされた開口の大きさで調節する工程
を含むことを特徴とする方法。
【請求項１２】
請求項１１に記載の方法において、
ホログラムの大きさを参照開口の大きさで調節する、方法。
【請求項１３】
請求項１１又は１２に記載の方法において、
前記別のフーリエ平面にミラーが配置され、開口はこのミラーによって構成される、方法。
【請求項１４】
請求項１１、１２、又は１３に記載の方法において、
前記別のフーリエ平面に位置決めされた開口の大きさにより、記録されたホログラム間のページ間干渉を減少する工程を含む、方法。
【請求項１５】
データをホログラフィで記録し、読み取るための装置であって、
二次元データ源、
データ源の画像と関連したフーリエ平面に位置決めされた光学媒体上にデータ源を物体ビーム及び参照ビームにより結像し、媒体上で物体ビームと参照ビームとの干渉を生じるための光学システム、
データ源とホログラムとの間の、ホログラムのフーリエ平面とは別のフーリエ平面、及び
前記別のフーリエ平面に位置決めされた、開口を持つ空間的フィルタリング手段
を含む装置において、
前記別のフーリエ平面は、データ源とホログラムとの間の物体ビーム経路に配置され、前記別のフーリエ平面の空間的フィルタリング開口の大きさは、物体ビームと参照ビームとの干渉によって光学媒体に記録されるべきホログラムの大きさと対応する、ことを特徴とする装置。
【請求項１６】
請求項１５に記載の装置において、
前記別のフーリエ平面の開口はミラーによって形成される、装置。
【請求項１７】
請求項１５又は１６に記載の装置において、
前記光学システムは、
物体としてのデータ源と関連した別の画像平面と、
データ源の周期性及びデータ源の開口の回折により、フーリエピークを少なくとも部分的に中性にするための中性化手段であって、前記別の画像平面に配置された中性化手段と、
を更に含む、装置。
【請求項１８】
請求項１７に記載の装置において、
前記中性化手段はランダム位相マスクであり、この位相マスクは、中央に位置決めされた位相変調が行われない領域を含み、参照ビームが位相マスクの中央領域を通して差し向けられる、装置。
【請求項１９】
請求項１５乃至１８のうちのいずれか一項に記載の装置において、
光学システムは、偏光性及び／又はスプリッティング性がない中央領域を含む偏光層を持つ偏光スプリッタープリズムを含み、参照ビームは、偏光層の中央領域を通して差し向けられる、装置。
【請求項２０】
請求項１５乃至１９のうちのいずれか一項に記載の装置において、
光学システムは、中央開口部を持つ検出器装置を含む、装置。
【請求項２１】
請求項２０に記載の装置において、
検出器装置は、中央開口部の周囲に配置された四つの矩形の検出器を含む、装置。
【請求項２２】
請求項１５乃至２１のうちのいずれか一項に記載の装置において、
光学システムの物体アームは、２つの同じフーリエレンズを含む８ｆシステムである、装置。
【請求項２３】
請求項１５乃至２２のうちのいずれか一項に記載の装置において、
光学システムの参照アームは、２つの異なるフーリエレンズを含む４ｆシステムである、装置。
【請求項２４】
参照ビームをホログラフィック媒体上に結像するための参照アームを含む光学システムを有する、データをホログラフィで読み取り、光学媒体に記録されたホログラムからデータ源の画像を再構成し、データ源の画像を検出器マトリックス上に結像するための装置において、
光学システムは、偏光性及び／又はスプリッティング性がない中央領域を含む偏光層を持つ偏光スプリッタープリズムを含み、
参照ビームは、偏光層の前記中央領域を通して差し向けられる、装置。